(57)【特許請求の範囲】
【請求項１】
水溶性シートの少なくとも片面に水溶性粘着剤が積層されており、水溶性シートが水溶性繊維からなる不織布であり、水溶性粘着剤が孔のあいた多孔状態で積層されていることを特徴とする水溶性粘着シート。
【請求項２】
不織布が熱接着不織布であることを特徴とする請求項１に記載の水溶性粘着シート。
【発明の詳細な説明】
【０００１】
【発明の属する技術分野】
この出願発明は、粘着性水溶性シートに関する。
【０００２】
【従来の技術】
従来、布製品のかぎ裂きなど補修するには、裂けた部分に当て布をして、ミシンがけをするが当てた布が共布でない場合は補修個所が目立ち、また布が重なって厚くなるので違和感が大きかった。
また、パッチワークで多種類の布を縫合する場合、あるいはニット製品を縫合する場合に、配置がずれないようにしつけ縫いをする必要があり、あとでしつけ糸を取り去る必要があった。
また、衣服のサイズ表示などに使用したラベルを剥がすときに布をいためることがあった。
また、食器や、合板の製品に貼られたラベルで、剥がしにくくのりが残ったり、表面を傷つけることがあった。
また、水解ラベルがあるが、紙の繊維がバラバラになるだけで溶解しないので、溶解させるために洗濯を行なうとこの繊維が衣服自体や洗濯槽にゴミとなってのこるという問題があった。
また、魚釣のとき、目的とする水深にえさが届く前に溶けてしまったり、ほかの魚につつかれるのを防ぐために、泥で餌を包んで団子にして投入していたが、泥の性質はまちまちなので、泥が解けて餌が表れるタイミングの調整が難しかった。
【０００３】
【発明が解決しようとする課題】
この出願発明者は、水溶性のシート、特に水溶性の繊維を使用した不織布に、水溶性の粘着剤を積層したものを用いることにより、これらの問題を解決することに成功した。
【０００４】
【発明を解決するための手段】
この出願発明は、水溶性シートの少なくとも片面に水溶性粘着剤が積層されており、水溶性シートが水溶性繊維からなる不織布であり、水溶性粘着剤が孔のあいた多孔状態で積層されている水溶性粘着シートに関する。
【０００５】
【発明の実施の形態】
以下、この出願発明の好適実施形態について説明する。
この出願発明は、水溶性シートが、水溶性繊維からなる不織布である水溶性粘着シートであることがとくに好ましい。
【０００６】
水溶性粘着剤が、多孔状態で積層された水溶性粘着シートであることがとくに好ましい。
なお、この出願発明で「多孔状態で積層されている」とは、粘着剤が孔のあいた状態で積層されていることをいい、例えば、粘着剤が網状になって水溶性シートに積層されていて、粘着剤のない部分（孔）が存在することをいう。
粘着剤をドット状に散在させたものや、線状に塗布したものなども含まれる。粘着剤が多孔状態で積層されていると、水溶性シートに直接水が触れるので速く溶解する。水溶性シートが水溶性繊維からなる不織布の場合も同様に孔の部分から不織布に水が染み込みやすく、水溶性繊維が溶解し易くなり、早く不織布が溶解する。
【０００７】
粘着剤の塗布厚みは、１〜３０μｍが好ましく、３〜２０μｍがより好ましく、５〜１５μｍがとくに好ましい。
この厚みの場合には、接着力があり、水溶性も良好である。
【０００８】
水溶性粘着剤としては、水溶性粘着剤であればよいが、水溶性アクリル系粘着剤がとくに好ましい。
【０００９】
水溶性アクリル系粘着剤は、主剤に添加剤と硬化剤を混ぜる３液タイプ、たとえば、ＳＫダイン１１９３（綜研化学株式会社）がとくに好ましい。
【００１０】
水溶性シートは、水溶性のポリビニルアルコールシート、アルギン酸シートが好ましく、水溶性ポリビニルアルコールシートがとくに好ましい。
【００１１】
水溶性シートは、不織布であることが望ましい。
不織布は多孔であるので、溶解させたときにすぐに裏面にまで水が吸い込まれ、溶解スピードが速く、また、ミシン縫いした際に裂けにくい等の点で優れている。
不織布の繊維は、ポリビニルアルコール繊維、アルギン酸繊維が好ましく、ポリビニルアルコール繊維でたとえば、クラロンＫ−ＩＩ（登録商標名）が低温の水にもよく溶解するのでとくに好ましい。
【００１２】
不織布の繊維は、繊維の太さは、とくに限定されないが、１．５〜７デニールが好ましく、２〜５デニールがとくに好ましい。
【００１３】
また、繊維の長さは、とくに限定されず、たとえば、２０〜２００ｍｍのものが使用されるが、３８〜６０ｍｍのものが好ましく、４５〜５５ｍｍがより好ましく、４７〜５３ｍｍがとくに好ましい。
【００１４】
不織布は、とくに限定されないが、水溶性繊維を１００％使用し、熱接着性を利用しポイントシール法で作成することが好ましいが、ニードルパンチで作成してもよい。
熱接着性を利用した不織布は、風合いが良く、後の工程で使用しやすいのでとくに好ましい。
【００１５】
不織布の目付は、３０〜６０ｇ／ｍ２の不織布であることがとくに好ましい。３０ｇ／ｍ２以下では、溶解させる前の取扱い中に、水滴が落ちたり濡れた手で触るとその箇所のシートが溶解して孔があいたりすることがある。また、６０ｇ／ｍ２より高いほど溶解時間が長くなる。
なお、印刷に適する厚み目付けとしては５０ｇ／ｍ２が適当である。
また、溶剤タイプの印刷機を使用すれば基布が溶解することは無く印刷できるし、インクジェット方式を使えば問題なく印刷できる。印刷は、離型紙がついたまま印刷を行うことが好ましい。
【００１６】
不織布と粘着剤は、直接不織布上に粘着剤を塗布してもよく、スクリーンコーターを使って、点状あるいは線状に塗布してもよい。また、転写ロールを介してもよいが、予め離型紙の上に粘着剤を塗布し、その上に不織布を載置して不織布と粘着剤を一体化することがとくに好ましい。
具体的には、離型紙の上に粘着剤を塗布し、乾燥後に不織布を圧着することにより製造する。
【００１７】
離型紙はとくに限定されないが、凹凸のある離型紙が好ましい。凹凸のある離型紙の場合には、後で述べるようにスクリーン等を用いずに均一な塗布を行っただけで、多孔の粘着層を得ることができる。
凹凸面に粘着剤を塗布して硬化する。塗布直後は均一な状態であるが、乾燥して溶剤などが蒸発した後は、離型紙の凸部の上の粘着剤は、凹部の粘着剤と比較して薄くなるか、孔があいた状態になり、網状の多孔状態の粘着シートとなるので、水が孔部より進入し、粘着剤が早く水溶化する。
とくに、粘着層が薄い場合、あるいは、孔のあいた状態で粘着層が形成されている場合は、縫製時の針への負担が小さくなる。
【００１８】
かぎ裂きなど補修した後、あるいは、パッチワーク、ニット製品などで、多種類の布あるいはニット製品などを縫合した後に、水により水溶性粘着性シートを溶解除去する。
溶解除去するときの温度はとくに限定されず、水溶性粘着性シートの適温で行う。
低温で溶解する素材を使用すれば、素材の収縮がない上、やけどなどの心配がなく取り扱いやすい。
【００１９】
溶解除去後は、十分にすすぎを行うことがとくに好ましい。
十分にすすぎを行い不織布及び粘着剤を除去しなければ風合いが硬いものとなることがある。
【００２０】
すすぎを十分に行った後に乾燥する。
乾燥は収縮の発生をおさえるため、平干しにし、陰干しで行うことがとくに好ましい。
【００２１】
【実施例】
以下、この出願発明の実施例につき説明する。
図１は、粘着性水溶性シートの断面図であり、１は水溶性シート、２は 水溶性不織布、３は水溶性粘着剤、４は離型紙を示す。
【００２２】
実施例１
つぎの配合割合の粘着剤を用意した。
主剤（綜研化学株式会社製  ＳＫ−ダイン１１９３）  ４０００ｇ
添加剤（綜研化学株式会社製  Ｋ−１０Ｍ）          １３２０ｇ
硬化剤（綜研化学株式会社製  Ｍ−５Ａ）              ３６０ｇ
凹凸のある離型紙を準備し、配合した粘着剤（固形分濃度３５％）をコート厚３５ミクロンで塗布し、８０℃で２分間乾燥して１０．５ミクロンの粘着層の粘着シートを製造した。なお、乾燥により厚みが減じた粘着層から離型紙の凸部が露出して、粘着剤がない状態となるのでその部分は孔になり、網状の多孔状態の粘着シートとなる。
なお、粘着剤が孔のあいた状態になっていると水に濡れたときに、内部へ水が貫通し濡れが早くなると同時に凝集力が少なくなるので溶解し易くなる。
この粘着シートを、水溶性シート（クラレ製  クラロンＫ−ＩＩ（登録商標名））を使用した水溶性不織布（日本バイリーン株式会社製  ＰＡ−３０４０Ｌ  目付４５ｇ／ｍ２）をラミネートし、巻き上げ後、２３℃で５日間熟成した。
なお、必ずしも離型紙を使用せずに、直接不織布に粘着剤を塗布しても良い。
この不織布に粘着剤が積層され、離型紙がさらに積層されているシートを、洋服が破れた場合（かぎ裂き状）破れた個所に離型紙を剥離して接着する。
ついで、ミシンで縫い上げ、縫製後水洗いしてシートを溶解除去すると、破れた個所が厚くならずにきれいに補修される。
【００２３】
実施例２
実施例１の不織布（日本バイリーン株式会社製  ＰＡ−３０４０Ｌ  目付４５ｇ／ｍ２）の全面をヒートロールでプレスし表面平滑な状態とした。この表面平滑な不織布の片面に、網状の多孔状態で粘着剤が積層され、さらに離型紙が積層されたシートの不織布面に印刷を行ったラベルを作成する。
このラベルが貼付された食器のラベルを、ユーザーが使用する時水で洗えば簡単に溶解し何も残らなかった。
なお、印刷に適する厚み目付けとしては５０ｇ／ｍ２が適当である。
また、溶剤タイプの印刷機を使用すれば基布が溶解することは無く印刷できるし、インクジェット方式を使えば問題なく印刷できる。印刷は、離型紙がついたまま印刷を行うことが好ましい。
同様にして、洋服のサイズ表示等使用時には不必要になる表示物に印刷したラベルを、ユーザーが使用する時水で洗えば簡単に溶解し何も残らなかった。
【００２４】
実施例３
実施例１の不織布に粘着剤が積層され、さらに離型紙が積層されたシートで釣り針につけた餌を包み周りを粘着剤で接着した状態で水中に投げ込む。
シートの溶解は水のＰＨにも拠るが  約１〜２分で完全に溶解するので、溶解する前に本命となる魚の所に到達させることにより他の魚に餌をとられないで本命の魚を釣ることができる。溶解時間を長くするには、シートを２枚、３枚と重ねて使用する。
また  餌の外側にコマセを配置して餌とコマセを一緒に実施例１のシートで包みこみ水中に投入すると、バラバラした分散しやすいコマセを投入する前は保護し、投入後はシートの溶解するタイミングで分散させることができるので、コマセによって魚を集め魚を釣ることもできる。
このようにすることにより、魚釣りの時に餌を付けて投げ込んで餌のバラケが早くすぐに針だけになることを防ぐことができ、また、目的とする魚のいる場所に餌が到達するまでに目的外の魚が食いつき本命が釣れないということを防ぐことができる。
【００２５】
【発明の効果】
この出願発明の水溶性粘着シートを使用して、布製品のかぎ裂きなど補修するには、布が重なって厚くならないので違和感がない。
また、パッチワークなどで、多種類の布を縫合する場合、あるいはニット製品を縫合する場合にこの出願発明の水溶性粘着シートを使用すると、配置がずれないようにすることができ、また、しつけ縫いをする必要がないので、あとでしつけ糸を取り去る必要がない。
また、衣服のサイズ表示などのラベルに使用すると剥がすときに布をいためることがない。
また、食器や、合板の製品に貼られたラベルとして、この出願発明の水溶性粘着シートを使用すると、水によって溶解するので、剥がす必要がなく、のりが残ったり、表面を傷つけることがない。
また、水解ラベルの代わりにこの出願発明の水溶性粘着シートを使用すると、繊維が溶けるので、水解ラベルのように紙の繊維がバラバラになり溶解しないということはなく、洗濯を行なうとこの繊維が衣服自体や洗濯槽にゴミとなってのこるということはない。
また、魚釣のとき、目的とする水深にえさが届く前に溶けてしまったり、ほかの魚につつかれるのを防ぐために、泥で餌を包んで団子にして投入していたが、泥の性質はまちまちなので、泥が解けて餌が表れるタイミングの調整が難しかったが、この出願発明の水溶性粘着シートを使用すると、これまでのように、泥が解けて餌が表れるタイミングの調整が難しいということはない等の優れた効果がある。
【図面の簡単な説明】
【図１】  粘着性水溶性シートの断面図。
【符号の説明】
１  水溶性シート
２  水溶性不織布
３  水溶性粘着剤
４  離型紙
【図１】
0004086097.tif 000002